(57)【要約】【課題】ブロックへのワイヤ装着に当たり人手作業が不要になるとともに、ブロック形状が特定されることがなく、種々の形状のブロックに対し広範に適用でき、しかもブロック形状の如何に拘わらず安定して吊り上げることができるようにする。【解決手段】吊りホルダ２に垂設された吊り上げアーム９を開閉アーム１１により開いた状態で、ガイドロッド１２の下端がブロックＢ１に当接するまで吊りホルダ２を吊り下ろし、開閉操作部材５を開閉用ワイヤ６・７によりガイドロッド１２に沿って持ち上げて吊り上げアーム９を開閉アーム１１により閉じることによりブロック吊りワイヤ１０をブロックＢ１に掛け、この状態で開閉操作部材５を開閉用ワイヤ６・７により吊り上げると同時に、吊りホルダ２を吊り上げ用ワイヤ３・４により吊り上げることにより、ブロックＢ１を吊り上げる。【選択図】図５
2007308289.tif 000002
【特許請求の範囲】
【請求項１】
少なくとも２本のブロック吊りワイヤをＵ状に垂下した少なくとも３本の吊り上げアームを、吊り上げ用ワイヤにより吊り下げられた吊りホルダに開閉自在に放射状に垂設するとともに、これら吊り上げアームを開閉するためにこれに開閉アームで連結された開閉操作部材を、吊りホルダの中央部に垂設されたガイドロッドに沿って上下動するように開閉用ワイヤにより吊り下げ、吊り上げアームを開閉アームにより開いた状態で、ガイドロッドの下端がブロックに当接するまで吊りホルダを吊り下ろし、開閉操作部材を開閉用ワイヤによりガイドロッドに沿って持ち上げて吊り上げアームを開閉アームにより閉じることによりブロック吊りワイヤをブロックに掛け、この状態で開閉操作部材を開閉用ワイヤにより吊り上げると同時に、吊りホルダを吊り上げ用ワイヤにより吊り上げることにより、ブロックを吊り上げることを特徴とするブロックの吊り上げ方法。
【請求項２】
吊り上げ用ワイヤにより吊り下げられた吊りホルダと、この吊りホルダに開閉自在に放射状に垂設された少なくとも３本の吊り上げアームと、２本の吊り上げアームの下端部からそれぞれＵ状に垂下された少なくとも２本のブロック吊りワイヤと、前記吊りホルダの中央部に垂設されたガイドロッドに沿って上下動するように開閉用ワイヤにより吊り下げられた開閉操作部材と、この開閉操作部材の上下動により前記吊り上げアームを開閉するように、吊り上げアームと開閉操作部材とを連結する開閉アームとを備え、吊り上げアームを開閉アームにより開いた状態で、ガイドロッドの下端がブロックに当接するまで吊りホルダを吊り下ろし、開閉操作部材を開閉用ワイヤによりガイドロッドに沿って持ち上げて吊り上げアームを開閉アームにより閉じることによりブロック吊りワイヤをブロックに掛け、この状態で開閉操作部材を開閉用ワイヤにより吊り上げると同時に、吊りホルダを吊り上げ用ワイヤにより吊り上げることにより、ブロックを吊り上げることができるようにしたことを特徴とするブロックの吊り上げ装置。
【請求項３】
各吊り上げアームの長さを調整可能としたことを特徴とする請求項２に記載のブロックの吊り上げ装置。
【請求項４】
ガイドロッドに、開閉操作部材の上下動の上限高さと下限高さとを調整できる上下のストッパを付設したことを特徴とする請求項２又は３に記載のブロックの吊り上げ装置。
【請求項５】
開閉アームの上端を開閉操作部材に自在軸受けしたことを特徴とする請求項２、３又は４に記載のブロックの吊り上げ装置。
【発明の詳細な説明】
【技術分野】
【０００１】
本発明は、消波ブロック等の大重量のブロックを、クレーン等を用いて吊り上げるブロックの吊り上げ方法及び装置に関する。
【背景技術】
【０００２】
従来、テトラポッド（登録商標）と言われている４脚の消波ブロックを吊り上げる場合、一般に、図１又は図２に示すような方法で行っていた。
【０００３】
図１の場合、両端に吊り輪１０１ａを形成した掛け吊りワイヤ１０１を、消波ブロック１０２の４脚のうちの一つの脚部１０２ａの先端を経由するように消波ブロック１０２にタスキ掛けに掛けて、両端の吊り輪１０１ａを別の一つの脚部１０２ｂの周面に重なるように位置させ、ここで両端の吊り輪１０１ａにストラップワイヤ１０３を通して、ストラップワイヤ１０３の両端の吊り輪１０３ａを吊り上げワイヤ１０４の下端のフック１０５に掛け、吊り上げワイヤ１０４で吊り上げる。
【０００４】
図２の場合、補助ワイヤ１０６も用いて、これを別の一つの脚部１０２ｂの周面に配し、その両端の吊り輪１０６ａと掛け吊りワイヤ１０１の両端の吊り輪１０１ａとを、２本のストラップワイヤ１０７の吊り金具１０７ａで結んで、２本のストラップワイヤ１０７を介して、図１の場合と同様に吊り上げワイヤにて吊り上げる。
【０００５】
しかし、このような従来方法では、消波ブロックへのワイヤ装着の作業性が悪いことから、その改善を目的として、特許文献１（特開平８−３３３０７８号公報）には、図３に示すような吊り装置が開示されている。
【０００６】
この吊り装置は、リング３、左右のヒンジプレート４、左右の起伏アーム５、当て板６、左右の吊りワイヤ７、平行吊り金具８、補助ワイヤー９とから構成されている。リング３は、消波ブロック２における上方に向け起立する脚部２Ｂに上方から水平状態で着脱自在に嵌合した場合、上方に向け起立する脚部のテーパーの３分の１位の位置に接触する寸法に構成され、このリング３における左右部分には、水平方向に左右の短軸３Ａ，３Ａが外方に向け突設されている。左右のヒンジプレート４は、側面略三角形状に構成されたプレート４Ａと、プレートの中央下方部分に開設された縦長穴４Ｂと、プレートの上端部分に開設された連結孔４Ｃとから構成され、左右のプレート４Ａの前方下方には左右の起伏アーム５の上端部分が短軸３Ａ，３Ａと平行なピン４Ｄで連結されている。当て板６は、消波ブロック２における他の脚部２Ｃのうちの１本の脚部２Ｃにおける前方端面２Ｃ１に当接する形状に構成されていると共に、この当て板６の左右部分がピン４Ｄと平行なピン６Ａで左右の起伏アーム５の下端部分に連結され、当て板６の前面上方には側面逆Ｊ状のフック６Ｂが突設され、左右の連結孔４Ｃには左右の吊りワイヤ７の下端が連結され、上端は平行吊り金具８に連結されている。補助ワイヤ９は、上端は平行吊り金具８の前面に連結されていると共に、下端には当て板のフック６Ｂに係脱する輪９Ａが形成されている。
【０００７】
しかし、これによると、図１の場合及び図２の場合に比べて、消波ブロックへのワイヤ装着の作業性は少しは改善されるものの、依然として多くの手作業を必要とするとともに、作業員がブロックに手が届くところまで行かなければならないことでは、変わりはない。また、消波ブロックの一つの脚部の先端にのみにワイヤをタスキ掛けする片持式であることでは、図１の場合及び図２の場合と同様で、重量のバランスが取りづらく、不安定で、落下の危険性がある。更に、テトラポッドと言われている４脚の消波ブロックのみを対象としており、他の形状の消波ブロック、例えば図４に示すような６脚の消波ブロックＢ１への適用は困難である。
【特許文献１】特開平８−３３３０７８号公報
【発明の開示】
【発明が解決しようとする課題】
【０００８】
本発明の課題は、ブロックへのワイヤ装着に当たり人手作業が不要になるとともに、ブロック形状が特定されることがなく、種々の形状のブロックに対し広範に適用でき、しかもブロック形状の如何に拘わらず安定して吊り上げることができるようにすることにある。
【課題を解決するための手段】
【０００９】
本発明の吊り上げ方法では、少なくとも２本のブロック吊りワイヤをＵ状に垂下した少なくとも３本の吊り上げアームを、吊り上げ用ワイヤにより吊り下げられた吊りホルダに開閉自在に放射状に垂設するとともに、これら吊り上げアームを開閉するためにこれに開閉アームで連結された開閉操作部材を、吊りホルダの中央部に垂設されたガイドロッドに沿って上下動するように開閉用ワイヤにより吊り下げ、吊り上げアームを開閉アームにより開いた状態で、ガイドロッドの下端がブロックに当接するまで吊りホルダを吊り下ろし、開閉操作部材を開閉用ワイヤによりガイドロッドに沿って持ち上げて吊り上げアームを開閉アームにより閉じることによりブロック吊りワイヤをブロックに掛け、この状態で開閉操作部材を開閉用ワイヤにより吊り上げると同時に、吊りホルダを吊り上げ用ワイヤにより吊り上げることにより、ブロックを吊り上げる。
【００１０】
本発明の吊り上げ装置は、吊り上げ用ワイヤにより吊り下げられた吊りホルダと、この吊りホルダに開閉自在に放射状に垂設された少なくとも３本の吊り上げアームと、２本の吊り上げアームの下端部からそれぞれＵ状に垂下された少なくとも２本のブロック吊りワイヤと、吊りホルダの中央部に垂設されたガイドロッドに沿って上下動するように開閉用ワイヤにより吊り下げられた開閉操作部材と、この開閉操作部材の上下動により吊り上げアームを開閉するように、吊り上げアームと開閉操作部材とを連結する開閉アームとを備え、吊り上げアームを開閉アームにより開いた状態で、ガイドロッドの下端がブロックに当接するまで吊りホルダを吊り下ろし、開閉操作部材を開閉用ワイヤによりガイドロッドに沿って持ち上げて吊り上げアームを開閉アームにより閉じることによりブロック吊りワイヤをブロックに掛け、この状態で開閉操作部材を開閉用ワイヤにより吊り上げると同時に、吊りホルダを吊り上げ用ワイヤにより吊り上げることにより、ブロックを吊り上げることができるようにしたものである。
【００１１】
これに次のような構成を付加すると良い。
各吊り上げアームの長さを調整可能とする。
ガイドロッドに、開閉操作部材の上下動の上限高さと下限高さとを調整できる上下のストッパを付設する。
開閉アームの上端を開閉操作部材に自在軸受けする。
【発明の効果】
【００１２】
本発明によれば、吊り上げアームを開閉アームにより開いておいて、吊りホルダの中央部に垂設されたガイドロッドの下端がブロックに当接するまで吊りホルダを吊り下ろし、この状態で開閉操作部材を開閉用ワイヤによりガイドロッドに沿って持ち上げて吊り上げアームを開閉アームにより閉じることによりブロック吊りワイヤをブロックに掛け、その後は、吊りホルダ及び開閉操作部材を、吊り上げ用ワイヤ及び開閉用ワイヤにより同時に吊り上げるだけで、これらと共にブロックを吊り上げることができるので、ブロックへのワイヤ装着の手作業が無くなるとともに、作業員がブロックのそばまで行く必要もなくなる。また、吊り上げアームからＵ状に垂らした少なくとも２本のブロック吊りワイヤをブロックに掛けるので、吊り上げたときの重量バランスも良く、落下の危険性が従来の比べ格段に少なくなる。
【００１３】
各吊り上げアームの長さを調整可能とすると、ブロックの大小の違いに容易に対応できる。
【００１４】
ガイドロッドに、開閉操作部材の上下動の上限高さと下限高さとを調整できる上下のストッパを付設すると、開閉操作部材の上下動のストロークを調整して吊り上げアームの無駄な開閉を回避できる。
【００１５】
開閉アームの上端を開閉操作部材に自在軸受けすると、ブロックの吊り荷重により吊り上げアームにひねりが生じても、開閉アームを自在に対応させることができる。
【発明を実施するための最良の形態】
【００１６】
次に、本発明の実施例を図面に基づいて詳細に説明する。
【実施例１】
【００１７】
図５〜図８に、本発明によるブロック吊り上げ装置１の全体を示し、その第１の主要金具である吊りホルダ２を、図示しないクレーンからの１本の吊り上げ用主ワイヤ３及び複数本の吊り上げ用副ワイヤ４により吊り下げるとともに、吊りホルダ２より小さい第２の主要金具である開閉操作部材５を、クレーンからの１本の開閉用主ワイヤ６及び複数本の開閉用副ワイヤ７により吊り下げて使用するようになっている。
【００１８】
吊りホルダ２は、複数本の開閉用副ワイヤ７を挿通させるようにリング状とされ、吊り上げ用主ワイヤ３の下端のフック３ａに、複数本の吊り上げ用副ワイヤ４により水平状態を維持するように懸垂されている。
【００１９】
開閉操作部材５は、開閉用主ワイヤ６の下端のフック６ａに、複数本の開閉用副ワイヤ７により水平状態を維持するように懸垂されている。開閉用主ワイヤ６は、吊り上げ用主ワイヤ３と平行な間隔を保ったまま上下動するように、吊り上げ用主ワイヤ３の下端のフック３ａに設けられた滑車８に案内される。
【００２０】
吊りホルダ２の下面には、本例の場合、合計４本の吊り上げアーム９が開閉自在に放射状に垂設され、そのうちの２本ずつを対にして、各２本の吊り上げアーム９の下端部にブロック吊りワイヤ１０がＵ状に垂下されている。
【００２１】
一方、開閉操作部材５の下面には、４本の吊り上げアーム９のそれぞれに対応する４本の開閉アーム１１が揺動自在に垂設され、各開閉アーム１１の下端部は対応する吊り上げアーム９とピン連結されている。
【００２２】
開閉操作部材５は、その重量を利用して吊り上げアーム９を開くことができる重錘となっており、この開閉操作部材５の中央の案内孔５ａに、吊りホルダ２の中央部に垂設されたガイドロッド１２を摺動自在に貫通させることにより、開閉操作部材５はガイドロッド１２に沿って上下動自在となっている。
【００２３】
ガイドロッド１２は、リブ１３により吊りホルダ２の中央部に垂直に垂下固定されている。ガイドロッド１２には、横貫通孔である多数のストッパ調整孔１４が多段に設けられ、その任意のストッパ調整孔１４にピン状の上限ストッパ１５と下限ストッパ１６とを差し込むことにより、ガイドロッド１２に沿って上下動する開閉操作部材５の上限高さと下限高さとを任意に調整でき、これによってまた、吊り上げアーム９の開閉する角度（最大開き角度と最小閉じ角度）を調整できるようになっている。ガイドロッド１２の下端には、この下端をブロックに当接させる際のブロックの破損防止のために、緩衝パッド１２ａが付着されている。
【００２４】
各吊り上げアーム９は、図９に示すように、鋼材である主従２本のアーム９Ａ・９Ｂを摺動可能に組み合わせ連結して、それらの合わせた長さを調整できるようにしたもので、その調整を段階的に行うために、主従のアーム９Ａ・９Ｂには、相互の孔を合わせてボルトを貫通させる複数の連結調整孔９ａ・９ｂが設けられている。
【００２５】
各ブロック吊りワイヤ１０は、その両端をシャックル１７にて２本の吊り上げアーム９の従アーム９Ｂの下端に掛け止めすることにより、Ｕ状に垂下されている。
【００２６】
各開閉アーム１１は、図１０に示すように、その上端に設けた吊り金具１８を開閉操作部材５の下面に設けられた吊りフック１９に掛け、その状態をボルト止めすることにより、開閉操作部材５に対して前後左右に揺動自在に自在軸受けされている。
【００２７】
このような構造となっている本実施例の吊り上げ装置により、図４に示すような６脚の消波ブロックＢ１を吊り上げる場合について説明する。
【００２８】
図６及び図８に示すように、開閉操作部材５を下限ストッパ１６で下降を制限されるところまでガイドロッド１２に沿って下降させると、４本の吊り上げアーム９は、恰も傘の骨杆のように開閉アーム１１により開いた状態となる。この状態でガイドロッド１２の下端が消波ブロックＢ１に当接するまで、吊りホルダ２を吊り上げ用主ワイヤ３にて吊り下ろすと同時に、開閉操作部材５を開閉用主ワイヤ６にて吊り下ろすと、Ｕ状に垂下している２本のブロック吊りワイヤ１０は、４本の吊り上げアーム９が開いているため、Ｕ状の口を大きく開けたような状態で消波ブロックＢ１の２本の脚部の先端近くに位置する。なお、吊り上げアーム９を補助的にスプリングで開く方向に付勢してもよい。
【００２９】
この状態から、吊りホルダ２はそのままにして、図１１及び図１２に示すように、開閉操作部材５を開閉用主ワイヤ６にてガイドロッド１２に沿って持ち上げると、４本の吊り上げアーム９が開閉アーム１１により閉じていくので、２本のブロック吊りワイヤ１０は、消波ブロックＢ１の２本の脚部の長さの範囲内へ移動しながらＵ状の口をすぼめてこれに掛かる。
【００３０】
そこで、図５に示すように、吊りホルダ２を吊り上げ用主ワイヤ３にて吊り上げながら、同時に、開閉操作部材５を開閉用主ワイヤ６にて吊り上げると、図１３に示すように、２本のブロック吊りワイヤ１０が消波ブロックＢ１の２本の脚部に締め付けられた状態で、消波ブロックＢ１が吊りホルダ２及び開閉操作部材５と共に吊り上げられる。
【００３１】
消波ブロックＢ１をこのようにして吊り上げてクレーンで設置位置上へ移動させ、そこに吊り下ろして設置する際には、ガイドロッド１２の下端が消波ブロックＢ１に当接するまで、吊りホルダ２を吊り上げ用主ワイヤ３にて吊り下ろすと同時に、開閉操作部材５を開閉用主ワイヤ６にて吊り下ろす。すると、４本の吊り上げアーム９が開きながら下降していくので、２本のブロック吊りワイヤ１０は、Ｕ状の口を開きながら消波ブロックＢ１の２本の脚部から離れる。
【実施例２】
【００３２】
上述の実施例１は、吊り上げアーム９を４本とし、その２本ずつにブロック吊りワイヤ１０をそれぞれ垂下して、ブロック吊りワイヤ１０を２本とした場合（ワイヤ２本掛け）であるが、図１４及び図１５に示すように、吊り上げアーム９を６本とし、そのうちの２本ずつにブロック吊りワイヤ１０をそれぞれ垂下して、ブロック吊りワイヤ１０を３本とすれば、３本のブロック吊りワイヤ１０を消波ブロックＢ１の３本の脚部に掛けることができるので（ワイヤ３本掛け）、２本掛けの場合よりも安定して吊り上げることができる。
【実施例３】
【００３３】
また、吊り上げるブロックが大型の場合には、図１６に示すように、吊り上げアーム９を３本として、その３本に共通に渡るように３本のブロック吊りワイヤ１０を垂下すれば良く、さらに、吊り上げアーム９の長さを伸長すれば、より大きいブロックにも対応できる。
【図面の簡単な説明】
【００３４】
【図１】４脚の消波ブロックを吊り上げる従来の一例を示す正面図である。
【図２】他の従来例を示す正面図である。
【図３】特許文献１に記載されている方法を示す斜視図である。
【図４】６脚の消波ブロックの斜視図である。
【図５】本発明の実施例１のブロック吊り上げ装置の全体斜視図である。
【図６】その拡大斜視図である。
【図７】同じく平面図である。
【図８】同じく断面図である。
【図９】吊り上げアームの長さが調整できることを示す斜視図である。
【図１０】開閉操作部材に対する開閉アームの垂設構造を示す正面図である。
【図１１】吊り上げアームを閉じていったときの斜視図である。
【図１２】同じく断面図である。
【図１３】消波ブロックを吊り上げている状態の斜視図である。
【図１４】本発明の実施例２のブロック吊り上げ装置の全体斜視図である。
【図１５】同じく平面図である。
【図１６】本発明の実施例３のブロック吊り上げ装置の平面図である。
【符号の説明】
【００３５】
１  ブロック吊り上げ装置
２  吊りホルダ
３  吊り上げ用主ワイヤ
３ａ  フック
４  吊り上げ用副ワイヤ
５  開閉操作部材
６  開閉用主ワイヤ
６ａ  フック
７  開閉用副ワイヤ
８  滑車
９  吊り上げアーム
９Ａ・９Ｂ  アーム
９ａ・９ｂ  連結調整孔
１０  ブロック吊りワイヤ
１１  開閉アーム
１２  ガイドロッド
１２ａ  緩衝パッド
１３  リブ
１４  ストッパ調整孔
１５  上限ストッパ
１６  下限ストッパ
１７  シャックル
【図１】
2007308289.tif 000003
【図２】
2007308289.tif 000004
【図３】
2007308289.tif 000005
【図４】
2007308289.tif 000006
【図５】
2007308289.tif 000007
【図６】
2007308289.tif 000008
【図７】
2007308289.tif 000009
【図８】
2007308289.tif 000010
【図９】
2007308289.tif 000011
【図１０】
2007308289.tif 000012
【図１１】
2007308289.tif 000013
【図１２】
2007308289.tif 000014
【図１３】
2007308289.tif 000015
【図１４】
2007308289.tif 000016
【図１５】
2007308289.tif 000017
【図１６】
2007308289.tif 000018